(57)【要約】【課題】フィスカル情報を含むデータを記憶するメモリーが実装された基板を収納する基板収納ケースとプリンターであって、メモリーに記憶されたデータの改ざんを防止する。【解決手段】管理基板５２を収納する管理基板収納ケース９０と、プリンター基板５１を収納するプリンター基板収納ケース９１と、を備え、これらケースを、これらケースの内部に設けられた接続用係止片１２０、１２１、接続用係止片受け１２３、１２５を介してこれらケースを接続することによって、管理基板５２を収納する１つの箱体が形成される構成とすると共に、これらケースを接続させた後はこれらケースの接続を解除できず、かつ、各ケースにおけるケース本体と蓋体との接続を解除できない構成とした。【選択図】図９
2011140203.tif 000002
【特許請求の範囲】
【請求項１】
ケース本体に蓋体が接続されたケースであり、フィスカル情報を含むデータを記憶するメモリー、及び、管理基板側コネクターが実装された管理基板を収納する管理基板収納ケースと、
ケース本体に蓋体が接続されたケースであり、制御部、及び、前記管理基板側コネクターに接続される制御基板側コネクターが実装された制御基板を収納する制御基板収納ケースと、を備え、
前記管理基板収納ケース、及び、前記制御基板収納ケースを、
これらケースの内部に設けられた係合部材を介してこれらケースを係合することによって、前記管理基板側コネクターと前記制御基板側コネクターとが接続された状態で、少なくとも前記管理基板を収納する１つの箱体が形成される構成とすると共に、これらケースを係合させた後はこれらケースの係合を不可逆的に保持し、かつ、各ケースにおけるそれぞれのケース本体と蓋体との係合を不可逆的に保持する構成としたこと、を特徴とする基板収納ケース。
【請求項２】
前記管理基板収納ケースの１つの側面から前記管理基板側コネクターを露出させると共に、前記制御基板収納ケースの１つの側面から前記制御基板側コネクターを露出させ、
前記管理基板収納ケース、及び、前記制御基板収納ケースを、
前記管理基板収納ケースの前記１つの側面と、前記制御基板の前記１つの側面とを対向させた状態でこれらケースの内部に設けられた前記係合部材を介してこれらケースを係合することによって、前記管理基板側コネクターと前記制御基板側コネクターとが接続された状態で１つの箱体が形成される構成としたこと、を特徴とする請求項１に記載の基板収納ケース。
【請求項３】
前記管理基板には、外部機器と接続するための外部機器コネクターが実装され、
前記管理基板収納ケースに、前記外部機器コネクターを前記管理基板収納ケースの外部に露出するためのコネクター孔を設け、
前記コネクター孔を、
前記コネクター孔から前記外部機器コネクターを貫通したときに、前記外部機器コネクターによって前記コネクター孔が塞がれるような形状としたことを特徴とする請求項１又は２に記載の基板収納ケース。
【請求項４】
フィスカル情報を含むデータは、暗号化された上で前記メモリーに記憶されることを特徴とする請求項１乃至３のいずれかに記載の基板収納ケース。
【請求項５】
ケース本体に蓋体が接続されたケースであり、フィスカル情報を含むデータを記憶するメモリー、及び、管理基板側コネクターが実装された管理基板を収納する管理基板収納ケースと、
ケース本体に蓋体が接続されたケースであり、プリンター制御部、及び、前記管理基板側コネクターに接続されるプリンター基板側コネクターが実装されたプリンター基板を収納するプリンター基板収納ケースと、を有し、
前記管理基板収納ケース、及び、前記プリンター基板収納ケースを、
これらケースの内部に設けられた係合部材を介してこれらケースを係合することによって、前記管理基板側コネクターと前記プリンター基板側コネクターとが接続された状態で、少なくとも前記管理基板を収納する１つの箱体が形成される構成とすると共に、これらケースを接続させた後はこれらケースの係合状態を不可逆的に保持し、かつ、各ケースにおけるそれぞれのケース本体と蓋体との係合を不可逆的に保持する構成とした基板収納ケースを備えたことを特徴とするプリンター。
【発明の詳細な説明】
【技術分野】
【０００１】
本発明は、フィスカル情報を含むデータを記憶するメモリーが実装された基板を収納する基板収納ケースおよびプリンターに関する。
【背景技術】
【０００２】
従来、商品を販売し、また、サービスを提供する店舗等に設けられ、商品等の販売取引に関する情報（会計処理等における商品や売上に関する情報や課税額等に関する情報）を含むフィスカル情報を記憶する書き込み可能な不揮発性のメモリー（フィスカルＲＯＭ）を備えた電子式キャッシュレジスターなどの装置が知られている（例えば、特許文献１参照）。メモリーに記憶されたフィスカル情報は、例えば、政府等の国家機関による店舗からの税金の徴収に際し、当該店舗における取引の実態を把握するための情報として利用される。
【先行技術文献】
【特許文献】
【０００３】
【特許文献１】特開平０５−１２０５６７号公報
【発明の概要】
【発明が解決しようとする課題】
【０００４】
上述のように、メモリーに記憶されたフィスカル情報は、店舗における取引（会計処理）の実態を把握するための情報として利用されることがあるため、メモリーに記憶されたフィスカル情報が改ざんされることを防止する必要がある。また、国によっては、法律によって、メモリーに記憶されたフィスカル情報が改ざんされることを防止することが義務づけられている場合がある。
本発明は、上述した事情に鑑みてなされたものであり、フィスカル情報を含むデータを記憶するメモリーが実装された基板を収納する基板収納ケースであって、メモリーに記憶されたデータの改ざんを防止することを目的とする。
【課題を解決するための手段】
【０００５】
上記目的を達成するために、本発明は、基板収納ケースであって、ケース本体に蓋体が接続されたケースであり、フィスカル情報を含むデータを記憶するメモリー、及び、管理基板側コネクターが実装された管理基板を収納する管理基板収納ケースと、ケース本体に蓋体が接続されたケースであり、制御部、及び、前記管理基板側コネクターに接続される制御基板側コネクターが実装された制御基板を収納する制御基板収納ケースと、を備え、前記管理基板収納ケース、及び、前記制御基板収納ケースを、これらケースの内部に設けられた係合部材を介してこれらケースを係合することによって、前記管理基板側コネクターと前記制御基板側コネクターとが接続された状態で、少なくとも前記管理基板を収納する１つの箱体が形成される構成とすると共に、これらケースを係合させた後はこれらケースの係合を不可逆的に保持し、かつ、各ケースにおけるケース本体と蓋体との係合を不可逆的に保持する構成としたこと、を特徴とする。
この構成によれば、管理基板収納ケースと、制御基板収納ケースとを係合することによって、外部からのアクセスができない状態で、少なくとも前記管理基板を収納する１つの箱体を形成した後は、これらケースの分解ができない。従って、これらケースが係合された後は、メモリーが実装された管理基板に対するアクセスが不可能な状態が維持されることとなり、メモリーに対する物理的なアクセスを介して行われるデータの改ざんを防止できる。
【０００６】
また、上記発明の基板収納ケースであって、前記管理基板収納ケースの１つの側面から前記管理基板側コネクターを露出させると共に、前記制御基板収納ケースの１つの側面から前記制御基板側コネクターを露出させ、前記管理基板収納ケース、及び、前記制御基板収納ケースを、前記管理基板収納ケースの前記１つの側面と、前記制御基板の前記１つの側面とを対向させた状態でこれらケースの内部に設けられた前記係合部材を介してこれらケースを係合することによって、前記管理基板側コネクターと前記制御基板側コネクターとが接続された状態で１つの箱体が形成される構成としたようにしてもよい。
この構成によれば、管理基板側コネクターと制御基板側コネクターとを接続させた状態で、管理基板収納ケースと制御基板収納ケースとを係合することができる。
【０００７】
また、上記発明の基板収納ケースであって、前記管理基板には、外部機器と接続するための外部機器コネクターが実装され、前記管理基板収納ケースに、前記外部機器コネクターを前記管理基板収納ケースの外部に露出するためのコネクター孔を設け、前記コネクター孔を、前記コネクター孔から前記外部機器コネクターを貫通したときに、前記外部機器コネクターによって前記コネクター孔が塞がれるような形状としたようにしてもよい。
この構成によれば、コネクター孔を介したメモリーへの物理的なアクセスを防止できる。
【０００８】
また、上記発明の基板収納ケースであって、フィスカル情報を含むデータは、暗号化された上で前記メモリーに記憶されるようにしてもよい。
この構成によれば、メモリーに記憶されたデータの不正な読み取りを防止しつつ、メモリーに対する物理的なアクセスを介して行われるデータの改ざんを防止できる。
また、本発明のプリンターは、ケース本体に蓋体が接続されたケースであり、フィスカル情報を含むデータを記憶するメモリー、及び、管理基板側コネクターが実装された管理基板を収納する管理基板収納ケースと、ケース本体に蓋体が接続されたケースであり、プリンター制御部、及び、前記管理基板側コネクターに接続されるプリンター基板側コネクターが実装されたプリンター基板を収納するプリンター基板収納ケースと、を有し、前記管理基板収納ケース、及び、前記プリンター基板収納ケースを、これらケースの内部に設けられた係合部材を介してこれらケースを係合することによって、前記管理基板側コネクターと前記プリンター基板側コネクターとが接続された状態で、少なくとも前記管理基板を収納する１つの箱体が形成される構成とすると共に、これらケースを接続させた後はこれらケースの係合状態を不可逆的に保持し、かつ、各ケースにおけるそれぞれのケース本体と蓋体との係合を不可逆的に保持する構成とした基板収納ケースを備えることが好ましい。
この構成によれば、管理基板収納ケースと、制御基板収納ケースとを係合することによってプリンターを構成し、外部からのアクセスができない状態で、少なくとも前記管理基板を収納する１つの箱体を形成した後は、これらケースの分解ができない。従って、これらケースが係合された後は、メモリーが実装された管理基板に対するアクセスが不可能な状態が維持されることとなり、メモリーに対する物理的なアクセスを介して行われるデータの改ざんを防止できるプリンターを提供することができる。
【発明の効果】
【０００９】
本発明によれば、フィスカル情報を含むデータを記憶するメモリーが実装された基板を収納する基板収納ケースとそれを備えたプリンターについて、メモリーに記憶されたデータの改ざんを防止できる。
【図面の簡単な説明】
【００１０】
【図１】本実施形態に係るフィスカルプリンターの外観斜視図である。
【図２】フィスカルプリンターの外観斜視図である。
【図３】フィスカルプリンターの概略縦断面図である。
【図４】フィスカルプリンターの回路構成図である。
【図５】フィスカルユニットの外観斜視図である。
【図６】フィスカルユニットの外観斜視図である。
【図７】管理基板収納ケースの外観斜視図である。
【図８】フィスカルユニットの概略縦断面図である。
【図９】フィスカルユニットを上から見た図である。
【図１０】フィスカルユニットを上から見た図である。
【発明を実施するための形態】
【００１１】
以下、図面を参照して本発明の実施形態について説明する。
図１は本実施形態に係るフィスカルプリンター（プリンター）１を斜め前方から見た場合の外観斜視図であり、図２はフィスカルプリンター１を斜め後方から見た場合の外観斜視図であり、図３はフィスカルプリンター１の概略縦断面図である。
本実施形態に係るフィスカルプリンター１は、ＰＯＳ端末等のホストコンピューター７０（図４）に接続され、ホストコンピューター７０の制御の下、レシートを発行すると共に、ホストコンピューター７０から入力されたフィスカル情報を含むデータを記憶する。フィスカル情報とは、商品等の販売取引に関する情報（売上に関する情報や課税額等に関する情報）であって、記憶すべき情報として予め定められた情報のことである。このフィスカル情報は、例えば、政府等の国家機関による店舗からの税金の徴収に際し、国家機関が当該店舗における取引の実態を把握するために参照する情報として利用される。本実施形態では、フィスカル情報を含むデータとして、後述する書込レシートデータ７６、及び、日計売上データ７１の２種類のデータが存在する。
【００１２】
フィスカルプリンター１は、プリンター本体１０と、このプリンター本体１０の底に取り付けたフィスカルユニット１１（基板収納ケース）とを有している。プリンター本体１０の下面には、フィスカルプリンター１の土台となる矩形枠状の基礎部５８が取り付けられており、この基礎部５８の内部にフィスカルユニット１１が収納されている。具体的には、図２に示すように、フィスカルユニット１１は、プリンター本体１０の底面と、固定板５７とによって挟持された状態で、基礎部５８の所定の収納場所に収納されている。固定板５７は、フィスカルユニット１１に対しねじ止めによって固定されると共に、基礎部５８に対してもねじ止めによって固定され、これにより、フィスカルユニット１１が基礎部５８に対して固定されている。
【００１３】
プリンター本体１０は、本体ユニット１３と、この本体ユニット１３を収納する本体ケース１４とを有している。この本体ユニット１３には、後述のように、ロール紙収納部２５、ロール紙搬送機構を構成する各部品、及び、印字ヘッド３０等のレシートを発行するための機構、装置が搭載されている。また、本体ユニット１３の底板部分１６の下面側には中継基板１７が設けられている。
本体ケース１４は、本体ユニット１３の四周側面を覆っている矩形枠状の枠状部分２０と、フィスカルプリンター１上面の前側部分を覆う前側開閉蓋２１及び後側部分を覆う後側開閉蓋２２とを備えている。前側開閉蓋２１及び後側開閉蓋２２の間には幅方向に延びる記録紙排出口２３が形成されている。後側開閉蓋２２は、記録紙排出口２３の側方に配置されているスライドボタン２４を操作すると、そのロック機構（図示せず）が外れて、開けることが可能になる。後側開閉蓋２２を開けると、本体ユニット１３における記録紙ロール２６を収納するためのロール紙収納部２５が露出し、記録紙ロール２６の交換などを行うことができる。また、前側開閉蓋２１を開けると、インクリボンのリボンカセット２７を着脱可能に装着するリボンカセット装着部２８が露出し、リボンカセット２７の交換などを行うことができる。
【００１４】
本体ユニット１３における後側の部分には後側開閉蓋２２によって覆われているロール紙収納部２５が形成されており、ここに装填されている記録紙ロール２６から引き出された記録紙は、ロール紙収納部２５の前端部分に配置されているガイドローラー３２を介して記録紙搬送路２９に導かれる。なお、記録紙搬送路２９に沿って搬送される記録紙を図３においては一点鎖線で示してある。記録紙搬送路２９の途中位置には、ドットインパクト方式の印字ヘッド３０と、これに対して一定間隔で対峙しているプラテン３１とが配置されている。印字ヘッド３０はヘッドキャリッジ３３に搭載されており、ヘッドキャリッジ３３は、キャリッジガイド軸３４に沿って幅方向に往復移動可能となっている。ヘッドキャリッジ３３には、リボンカセット２７のリボンカセット装着部２８が形成されている。
【００１５】
記録紙搬送路２９における印字ヘッド３０よりも下流側の位置には、紙送りローラー３６と、紙押さえローラー３７と、紙押さえローラー３７を紙送りローラー３６に付勢している付勢部材（図示せず）を備えた紙送り機構が配置されている。記録紙搬送路２９の下流端は記録紙排出口２３に連通しており、この記録紙排出口２３の近傍には、記録紙を切断するための鋏式の自動切断ユニット３８が配置されている。自動切断ユニット３８は、記録紙の搬送経路を挟み、前側に配置された固定刃４０と、後側に配置された可動刃４１と、可動刃４１を動作させるための駆動機構４３とを備えている。また、記録紙排出口２３の前縁部分には手動操作により記録紙を切断可能な切断刃４４が取り付けられている。
【００１６】
プリンター本体１０の底部には、フィスカルユニット１１が取り付けられている。このフィスカルユニット１１は、箱形状のフィスカルユニットケース５０を備えており、このフィスカルユニットケース５０の内部には、プリンター基板５１、及び、管理基板５２が収納されている。
図３に示すように、プリンター基板５１には、プリンター接続用コネクター５５が実装されており、このプリンター接続用コネクター５５と中継基板１７に実装された中継基板側コネクター５６とが接続されることにより、プリンター基板５１と中継基板１７とが接続されている。中継基板１７は、上述したヘッドキャリッジ３３を駆動するためのキャリッジ駆動モーター（不図示）や、記録紙ロール２６の記録紙を搬送するガイドローラー３２や、紙送りローラー３６を回転させるための媒体送りモーター（不図示）、印字ヘッド３０を駆動するためのアクチュエーター（不図示）、可動刃４１を動作させるための駆動機構４３等、レシートを発行するための機構、装置と接続されており、プリンター基板５１から入力された制御信号に基づいて、これら機構、装置に、制御信号、駆動電流を出力し、これら機構、装置を制御する。
なお、フィスカルユニット１１の構成については、後に詳述する。
【００１７】
図４は、フィスカルプリンター１の回路構成図であり、特に、フィスカルユニット１１のフィスカルユニットケース５０内部に設けられた管理基板５２、及び、プリンター基板５１の回路構成を模式的に示している。
図４に示すように、管理基板５２には、メイン制御部６０と、ＰＣコネクター６１（外部機器コネクター）と、フィスカルコネクター６２（外部機器コネクター）と、通信ＩＣ６３と、ＲＯＭ６４と、ＳＲＡＭ６５と、ＲＴＣ６６と、ＥＪ（エレクトリックジャーナル）メモリー６７（メモリー）と、第１メモリー制御部６８と、バッファーＩＣ６９と、第２メモリー制御部８１と、フィスカルメモリー７５（メモリー）と、が実装されている。
【００１８】
メイン制御部６０は、フィスカルプリンター１の各部を中枢的に制御するものであり、ＣＰＵやその他の周辺回路を備えている。
ＰＣコネクター６１は、フィスカルプリンター１の通常使用時においてホストコンピューター７０（外部機器）が接続されるコネクターである。ホストコンピューター７０は、ＰＣコネクター６１を介してフィスカルプリンター１にレシートの発行に係る印刷コマンドを出力し、また、フィスカル情報を含むデータである日計売上データ７１を出力する。
フィスカルコネクター６２は、フィスカルデータ読出装置７３（外部機器）が接続されるコネクターである。フィスカルデータ読出装置７３とは、後述するＥＪメモリー６７や、フィスカルメモリー７５（メモリー）に記憶されたデータを読み出すための装置であり、例えば国家機関（政府等）に係る者等の、特別な許可を得た者だけが所持し得る。
【００１９】
通信ＩＣ６３は、ＰＣコネクター６１及びフィスカルコネクター６２に接続され、メイン制御部６０の制御の下、ホストコンピューター７０や、フィスカルデータ読出装置７３との間でデータの送受信を行う。
ＲＯＭ６４は、メイン制御部６０が各種制御を行うための制御プログラム（ファームウェア）や、制御データ等を記憶する。本実施形態では、ＲＯＭ６４として、ＥＥＰＲＯＭ等のデータの書き換えが可能なメモリーが用いられている。
ＳＲＡＭ６５は、メイン制御部６０のＣＰＵのワークエリアとして機能する揮発性のメモリーであり、各種データを一時的に記憶する。
フィスカルプリンター１の電源がオンされ、フィスカルプリンター１に商用電源から電力が供給されている間は、ＳＲＡＭ６５に対しても商用電源から電力が供給される。一方、フィスカルプリンター１の電源がオフされ、フィスカルプリンター１への商用電源からの電力が遮断されている間は、電池７８（電源）からＳＲＡＭ６５に対して電力が供給される。
ＲＴＣ６６（Real-time clock：リアルタイムクロック）は、現在日時（年月日、時刻）を示すデータをメイン制御部６０に出力する。
【００２０】
ＥＪメモリー６７は、ＮＡＮＤ型フラッシュメモリーであり、大容量のデータを記憶可能である。ＥＪメモリー６７は、第１メモリー制御部６８の制御の下、１つのアドレスに対して１度しかデータを書き込めないメモリーとして機能する。これにより、ＥＪメモリー６７に書き込まれたデータが後から編集されることが防止され、ＥＪメモリー６７に記憶されたデータ対する改ざんが防止されている。
第１メモリー制御部６８は、ＣＰＵを備え、メイン制御部６０の制御の下、ＥＪメモリー６７に対してデータの読み書きを行う。第１メモリー制御部６８は、ＥＪメモリー６７に対して、データ、具体的には、フィスカル情報を含むデータである書込レシートデータ７６（後述）を書き込む場合、当該データを暗号化した上でデータを書き込む。暗号化されたデータを復号するための機能は、上述したフィスカルデータ読出装置７３等の、フィスカル情報を含むデータを正規に読み出すことが許可された限られた装置のみが有している。これにより、書込レシートデータ７６の内容の漏洩の防止が図られている。
バッファーＩＣ６９は、ＥＪメモリー６７に対するデータの読み出し、書き込みの効率を向上するために設けられたバッファーを制御する。
これらＥＪメモリー６７、第１メモリー制御部６８、及び、バッファーＩＣ６９は、エポキシ樹脂によって管理基板５２に封止されており、ＥＪメモリー６７が管理基板５２から物理的に取り外された上で、ＥＪメモリー６７に記憶されたデータが改ざんされることが防止されている。ＥＪメモリー６７や、フィスカルメモリー７５のいずれかまたは両方を指して、フィスカルメモリーと称することもある。また、１つのメモリーに両方の情報を記憶することもできる。
【００２１】
フィスカルメモリー７５は、フラッシュＲＯＭやＥＰＲＯＭを備える不揮発性のメモリーである。フィスカルメモリー７５には、日計売上データ７１が記憶されるが、これについては後述する。フィスカルメモリー７５は、第２メモリー制御部８１の制御の下、１つのアドレスに対して１度しかデータを書き込めないメモリーとして機能する。これにより、フィスカルメモリー７５に書き込まれたデータが後から編集されることが防止され、フィスカルメモリー７５に記憶されたデータ対する改ざんが防止されている。
第２メモリー制御部８１は、プログラム可能な論理回路を書き込んだデバイスであるＣＰＬＤ（Complex programmable logic device）を備え、メイン制御部６０の制御の下、フィスカルメモリー７５に対してデータの読み書きを行う。第２メモリー制御部８１は、フィスカルメモリー７５に対して、データ、具体的には、フィスカル情報を含むデータである日計売上データ７１（後述）を書き込む場合、当該データを暗号化した上でデータを書き込む。ここで暗号化されたデータを復号するための機能は、上述したフィスカルデータ読出装置７３等の、フィスカル情報を含むデータを正規に読み出すことが許可された限られた装置のみが有している。これにより、日計売上データ７１の内容の漏洩の防止が図られている。
これらフィスカルメモリー７５、及び、第２メモリー制御部８１は、エポキシ樹脂によって管理基板５２に封止されており、例えば、フィスカルメモリー７５が管理基板５２から物理的に取り外された上で、フィスカルメモリー７５に記憶されたデータが改ざんされることが防止されている。
【００２２】
プリンター基板５１には、プリンター制御部７７と、駆動回路７４とが実装されている。
プリンター制御部７７は、フィスカルプリンター１の各部を中枢的に制御するものであり、演算実行部としてのＣＰＵや、その他の周辺回路等を備えている。
駆動回路７４は、プリンター制御部７７の制御の下、中継基板１７を介して、上述したヘッドキャリッジ３３を駆動するためのキャリッジ駆動モーター（不図示）や、記録紙ロール２６の記録紙を搬送するガイドローラー３２や紙送りローラー３６を回転させるための媒体送りモーター（不図示）、印字ヘッド３０を駆動するためのアクチュエーター（不図示）、可動刃４１を動作させるための駆動機構４３等、レシートを発行するための機構、装置に、制御信号、駆動電流を出力し、これら機構、装置を制御する。
プリンター基板５１には、プリンター基板側コネクター７９が設けられ、管理基板５２には、管理基板側コネクター８０が設けられており、これらプリンター基板側コネクター７９と、管理基板側コネクター８０とが接続されることにより、管理基板５２と、プリンター基板５１とが接続される。
本実施形態では、レシートの発行に際し、まず、フィスカルプリンター１に接続されたホストコンピューター７０が、印刷コマンドを生成し、生成した印刷コマンドをＰＣコネクター６１を介してメイン制御部６０に出力する。印刷コマンドが入力されたメイン制御部６０は、入力された印刷コマンドをプリンター制御部７７に出力する。
【００２３】
次いで、ＥＪメモリー６７に記憶される書込レシートデータ７６、及び、フィスカルメモリー７５に記憶される日計売上データ７１について説明する。上述したように、これらデータは、フィスカル情報を含むデータに該当する。
書込レシートデータ７６とは、フィスカルプリンター１によって発行されるレシートに記録される情報を示すデータであって、記憶すべきデータとして予め定められているデータのことである。例えば、レシートに、顧客が購入した商品毎に、商品を示す情報や、商品の単価を示す情報、当該商品を購入した個数を示す情報、商品の購入にかかる代金を示す情報、全ての商品の総購入代金を示す情報等が記録されている場合であって、これら情報を示すデータが記憶すべきデータとして予め定められている場合、これら情報を示すデータが書込レシートデータ７６に該当する。上述したように、本実施形態では、フィスカルプリンター１によってレシートを発行する場合、ホストコンピューター７０によって印刷コマンドが生成され、この印刷コマンドがメイン制御部６０に出力され、さらに、印刷コマンドがメイン制御部６０からプリンター制御部７７に出力される。その際、メイン制御部６０は、印刷コマンドから、書込レシートデータ７６として記憶すべき情報を抽出し、抽出したこれら情報を書込レシートデータ７６として、第１メモリー制御部６８を制御して、ＥＪメモリー６７に記憶する。
日計売上データ７１とは、店舗における１日ごとの総売上を示すデータのことであり、店舗の営業終了後、ホストコンピューター７０がその日における総売上を計算し、計算した総売上に基づいて、日計売上データ７１を生成し、生成した日計売上データ７１をメイン制御部６０に出力する。日計売上データ７１が入力されると、メイン制御部６０は、第２メモリー制御部８１を制御し、フィスカルメモリー７５に日計売上データ７１を書き込む。
【００２４】
次いで、フィスカルユニット１１の構成について説明する。
図５は管理基板収納ケース９０と、プリンター基板収納ケース９１とが分解された状態のフィスカルユニット１１を管理基板収納ケース９０の後方から見たときの斜視図であり、図６は管理基板収納ケース９０と、プリンター基板収納ケース９１とが分解された状態のフィスカルユニット１１をプリンター基板収納ケース９１の後方から見たときの斜視図である。図７は、管理基板ケース蓋体９４（蓋体）と、管理基板ケース本体９５（ケース本体）とが分解された状態の管理基板収納ケース９０の斜視図である。
また、図８はフィスカルユニット１１の縦断面図であり、図９（Ａ）は管理基板収納ケース９０の管理基板ケース本体９５から管理基板ケース蓋体９４を取り外し、かつ、プリンター基板収納ケース９１のプリンター基板ケース本体９７（ケース本体）からプリンター基板ケース蓋体９８（蓋体）を取り外した上で、これらケース本体が接続（係合）された様子を上から見た図であり、図９（Ｂ）は図９（Ａ）における領域Ｘを拡大した図である。図１０は、図９の各ケース本体を分解した様子を示す図である。
【００２５】
図５及び図６に示すように、フィスカルユニット１１のフィスカルユニットケース５０は、管理基板収納ケース９０と、プリンター基板収納ケース９１との２つのケースを備えており、これらケースが１つの箱体を形成するように接続されることによってフィスカルユニットケース５０が形成されている。
管理基板収納ケース９０は、管理基板５２を収納するケースであり、図７に示すように、箱状の管理基板ケース本体９５と、箱状の管理基板ケース蓋体９４と、を備えており、管理基板ケース本体９５の開口と、管理基板ケース蓋体９４の開口とが向かい合った状態で接続されることにより、内部に管理基板５２を収納する箱状の管理基板収納ケース９０が構成される。
【００２６】
図５、図９及び図１０に示すように、管理基板ケース本体９５の１つの側面１００には、フィスカルコネクター６２、ＰＣコネクター６１、及び、電源コネクター１０１を管理基板ケース本体９５の外側に露出するための、コネクター孔１０２、１０３、１０４が設けられており、各コネクター６１、６２、１０１が各コネクター孔１０２、１０３、１０４を貫通することにより、各コネクター６１、６２、１０１が外部に露出している。ここで、各コネクター孔１０２、１０３、１０４は、各コネクター６１、６２、１０１を貫通した際に、各コネクター６１、６２、１０１によって各コネクター孔１０２、１０３、１０４が塞がれるような構成となっている。例えば、フィスカルコネクター６２が貫通するコネクター孔１０２では、コネクター孔１０２の内周の形状がフィスカルコネクター６２の外周の形状と略同一となっており、これによりフィスカルコネクター６２によってコネクター孔１０２が塞がれる構成となっている。このような構成のため、管理基板ケース本体９５に対して管理基板ケース蓋体９４が接続された状態となった後は、各コネクター孔１０２、１０３、１０４を介して管理基板収納ケース９０の内部に物理的なアクセスがなされることが防止されている。
また、図６及び図７に示すように、管理基板ケース本体９５の側面であって、側面１００と対向する側面１０６には、管理基板側コネクター８０を露出するためのコネクター孔１０８が設けられている。このコネクター孔１０８も、管理基板側コネクター８０が貫通したときに孔が塞がれる形状とされ、管理基板ケース本体９５に対して管理基板ケース蓋体９４が接続された状態となった後に、コネクター孔１０８を介して管理基板収納ケース９０の内部に物理的なアクセスがなされることが防止されている。
【００２７】
図７を参照して、管理基板ケース本体９５において、側面１００及び側面１０６以外の側面である側面１０９及び側面１１０のそれぞれには係止片１１１が間隔をあけて設けられており、管理基板ケース蓋体９４において係止片１１１と対応する位置には、係止片１１１が弾発的に係止するための係止片受け（不図示）が設けられている。
同様に、管理基板ケース蓋体９４において、管理基板ケース本体９５の側面１０９及び側面１１０と対応する側面１１２及び側面１１３には、管理基板ケース本体９５の係止片１１１を避けた状態で、係止片１１４が設けられており、管理基板ケース本体９５において係止片１１４と対応する位置には、係止片１１４が弾発的かつ不可逆的に係止するための係止片受け１１５が設けられている。
【００２８】
管理基板ケース本体９５と、管理基板ケース蓋体９４とは、上述した係止片１１１がこの係止片１１１に対応する係止片受けに係止すると共に、係止片１１４がこの係止片１１４に対応する係止片受け１１５に係止することにより不可逆的に接続（係合）される。そして、一旦、管理基板ケース本体９５と管理基板ケース蓋体９４とが接続された後（図５及び図６に示す状態）は、これら管理基板ケース本体９５と管理基板ケース蓋体９４に囲まれた空間、すなわち、管理基板収納ケース９０の内部に物理的なアクセスが遮断される状態となる。このように、内部に物理的なアクセスができない状態では、各係止片と各係止片受けとの係止状態が不可逆的に保持され、解除をすることができず、管理基板ケース本体９５と、管理基板ケース蓋体９４との接続の解除ができない状態となる。すなわち、本実施形態では、管理基板ケース本体９５と管理基板ケース蓋体９４とが一旦接続された後は、これらケース本体とケース蓋体との接続の解除が不可能となり、管理基板収納ケース９０の内部へのアクセスが遮断される。これにより、管理基板５２に実装されたＥＪメモリー６７やフィスカルメモリー７５に対する物理的なアクセスが遮断され、これらメモリーに対する物理的なアクセスを介して行われるデータの改ざんが防止される。
【００２９】
特に、本実施形態では、管理基板ケース本体９５と、管理基板ケース蓋体９４とを接続することにより、以後、ＥＪメモリー６７やフィスカルメモリー７５に対する物理的なアクセスを遮断できる。すなわち、管理基板収納ケース９０単体で、管理基板５２に対する物理的なアクセスを遮断できる構成となっている。このため、管理基板収納ケース９０と、プリンター基板収納ケース９１とを接続する前段階において、管理基板収納ケース９０に収納された管理基板５２に対する物理的なアクセスを防止でき、これにより、例えば、製造段階や出荷段階であって未だ管理基板収納ケース９０とプリンター基板収納ケース９１とが接続されていない状態において、管理基板５２に対する不正な処理（回路の改造等）が行われることを確実に防止できる。
【００３０】
プリンター基板収納ケース９１は、プリンター基板５１を収納するケースであり、図５及び図６に示すように、プリンター基板ケース本体９７と、箱状のプリンター基板ケース蓋体９８とを備えている。プリンター基板ケース本体９７は、図５に示すように、下面と、１つの側面が開口した箱状のケースであり、同様に、プリンター基板ケース蓋体９８は、下面と、１つの側面が開口した箱状のケースである。そして、プリンター基板ケース本体９７の下面の開口と、プリンター基板ケース蓋体９８の下面開口とが向かい合った状態で接続されることにより、１つの側面が開口した箱状のプリンター基板収納ケース９１が形成される。
プリンター基板ケース蓋体９８には、プリンター接続用コネクター５５が貫通するためのコネクター孔１１７が形成されており、プリンター接続用コネクター５５がこのコネクター孔１１７を貫通することによって外部に露出している。コネクター孔１１７の内周の形状と、プリンター接続用コネクター５５の外周の形状とは、略同一形状とされ、プリンター接続用コネクター５５がコネクター孔１１７を貫通したときに、プリンター接続用コネクター５５によってコネクター孔１１７が塞がれる構成となっている。これにより、プリンター基板収納ケース９１と、管理基板収納ケース９０とが接続された状態において、コネクター孔１１７を介して、プリンター基板収納ケース９１の内部に物理的にアクセスが行われることが防止されている。
【００３１】
プリンター基板ケース本体９７と、プリンター基板ケース蓋体９８とは、上述した管理基板ケース本体９５と、管理基板ケース蓋体９４と同様、これらケース本体の内部とケース蓋体の内部とに設けられた係止片と係止片受けとが不可逆的に係合することによって接続される。そして、後述するように、プリンター基板収納ケース９１と、管理基板収納ケース９０とが接続された後は、プリンター基板ケース本体９７、及び、プリンター基板ケース蓋体９８に設けられた係止片、及び、係止片受けに物理的なアクセスができなくなり、従って、これら係止片及び係止片受けの係合状態が不可逆的に保持され、解除できなくなる。つまり、プリンター基板ケース本体９７と、プリンター基板ケース蓋体９８とが接続された上で、プリンター基板収納ケース９１と、管理基板収納ケース９０とが接続された後は、プリンター基板ケース本体９７と、プリンター基板ケース蓋体９８との接続状態の解除が不可能となり、プリンター基板収納ケース９１に収納されたプリンター基板５１に対する物理的なアクセスが不可能となる。
【００３２】
次いで、管理基板収納ケース９０と、プリンター基板収納ケース９１との接続の態様について説明する。
図１０を参照して、管理基板収納ケース９０の側面１０９及び側面１１０には、接続用係止片１２０、１２１（係合部材）が突出して設けられている。そして、プリンター基板収納ケース９１において、管理基板収納ケース９０の側面１０９と対応する側面１２２には、接続用係止片１２０が弾発的かつ不可逆的に係止する接続用係止片受け１２３（係合部材）が設けられると共に、管理基板収納ケース９０の側面１１０と対応する側面１２４には、接続用係止片１２１が弾発的に係止する接続用係止片受け１２５（係合部材）が設けられている。
管理基板収納ケース９０とプリンター基板収納ケース９１とが接続されていない状態（図１０）から、これらケースが接続された状態（図９）とする場合、管理基板収納ケース９０の側面１０６と、プリンター基板収納ケース９１の開口（１つの側面）とを対向させた状態で、これらケースを連結する。これにより、図９に示すように、管理基板収納ケース９０の側面１０６から露出する管理基板側コネクター８０と、プリンター基板収納ケース９１の開口から露出するプリンター基板側コネクター７９とが接続されると共に、接続用係止片１２０、１２１が接続用係止片受け１２３、１２５に弾発的かつ不可逆的に係止する（図９（Ａ）及び図９（Ｂ）参照）。
【００３３】
また、図８に示すように、管理基板収納ケース９０と、プリンター基板収納ケース９１とが接続された状態では、管理基板収納ケース９０においてプリンター基板収納ケース９１側の縁に設けられた位置決め部１３０と、プリンター基板収納ケース９１において管理基板収納ケース９０側の縁に設けられた位置決め部１３１とが勘合し、これにより、プリンター基板収納ケース９１に対する管理基板収納ケース９０の上下方向の動きが規制される。
接続用係止片１２０、１２１が接続用係止片受け１２３、１２５に弾発的かつ不可逆的に係止した後は、図８及び図９に示すように、内部空間が密閉された１つの箱体としてのフィスカルユニットケース５０が形成され、フィスカルユニットケース５０の内部への物理的なアクセスが不可能となり、接続用係止片１２０、１２１と接続用係止片受け１２３、１２５との係合状態が保持され、解除が不可能となる。つまり、管理基板収納ケース９０とプリンター基板収納ケース９１とが接続された後は、これらケースによって形成されるフィスカルユニットケース５０の内部への物理的なアクセスが不可能となり、管理基板５２やプリンター基板５１に対する物理的なアクセスを伴って行われる改ざんを防止できる。
【００３４】
以上説明したように、本実施形態では、フィスカルプリンター１は、管理基板ケース本体９５に管理基板ケース蓋体９４が接続されたケースであって、フィスカル情報を含むデータである書込レシートデータ７６や、日計売上データ７１を記憶するＥＪメモリー６７やフィスカルメモリー７５、及び、管理基板側コネクター８０が実装された管理基板５２を収納する管理基板収納ケース９０と、プリンター基板ケース本体９７にプリンター基板ケース蓋体９８が接続されたケースであって、プリンター制御部７７、及び、管理基板側コネクター８０に接続されるプリンター基板側コネクター７９が実装されたプリンター基板５１を収納するプリンター基板収納ケース９１と、を備えている。そして、管理基板収納ケース９０、及び、プリンター基板収納ケース９１は、これらケースの内部に設けられた係合部材（係止片、及び、係止片受け）を介してこれらケースを接続することによって、外部からのアクセスができない状態で管理基板５２を収納する１つの箱体（フィスカルユニットケース５０）が形成される構成であり、かつ、これらケースを接続させた後はこれらケースの接続が不可逆的に保持され、解除できず、かつ、各ケースにおけるケース本体と蓋体との接続が不可逆的に保持され、解除できない構成となっている。
これによれば、管理基板収納ケース９０と、プリンター基板収納ケース９１とを接続することによって、外部からのアクセスができない状態で管理基板５２を収納する１つの箱体（フィスカルユニットケース５０）を形成した後は、これらケースの分解ができない。従って、これらケースが接続された後は、ＥＪメモリー６７やフィスカルメモリー７５が実装された管理基板５２に対するアクセスが不可能な状態が維持されることとなり、これらメモリーに対する物理的なアクセスを介して行われるデータの改ざんを防止できる。
【００３５】
また、本実施形態では、管理基板収納ケース９０の１つの側面１０６から管理基板側コネクター８０が露出し、プリンター基板収納ケース９１の開口（１つの側面）からプリンター基板側コネクター７９を露出している。そして、管理基板収納ケース９０、及び、プリンター基板収納ケース９１は、管理基板収納ケース９０の側面１０６と、プリンター基板の開口とを対向させた状態でこれらケースの内部に設けられた係合部材を介してこれらケースを接続することによって、管理基板側コネクター８０とプリンター基板側コネクター７９とが接続された状態で１つの箱体（フィスカルユニットケース５０）が形成される構成となっている。
これによれば、管理基板側コネクター８０とプリンター基板側コネクター７９とを接続させた状態で、管理基板収納ケース９０とプリンター基板収納ケース９１とを接続することができる。
【００３６】
また、本実施形態では、管理基板５２には、外部機器であるホストコンピューター７０やフィスカルデータ読出装置７３と接続するためのＰＣコネクター６１やフィスカルコネクター６２が実装されており、管理基板収納ケース９０には、これらコネクターを管理基板収納ケース９０の外部に露出するためのコネクター孔１０２、１０３が設けられている。そして、コネクター孔１０２、１０３は、これらコネクター孔１０２、１０３からＰＣコネクター６１やフィスカルコネクター６２を貫通したときに、これらコネクターによってこれらコネクター孔が塞がれるような形状となっている。
これによれば、コネクター孔１０２、１０３を介したメモリーへの物理的なアクセスを防止できる。
【００３７】
また、本実施形態では、書込レシートデータ７６や、日計売上データ７１は、暗号化された上でＥＪメモリー６７やフィスカルメモリー７５に記憶される。
これによれば、ＥＪメモリー６７やフィスカルメモリー７５に記憶されたデータの不正な読み取りを防止しつつ、これらメモリーに対する物理的なアクセスを介して行われるデータの改ざんを防止できる。
【００３８】
なお、上述した実施の形態は、あくまでも本発明の一態様を示すものであり、本発明の範囲内で任意に変形及び応用が可能である。
例えば、上述した実施形態では、フィスカルプリンター１は、ドットインパクト方式のプリンターであったが、プリンターの方式は、ドットインパクト方式に限らず、インクジェット方式や、サーマル方式等であってもよい。
また、上述した実施形態では、ＰＣコネクター６１や、フィスカルコネクター６２等を設けていたが、フィスカルユニット１１の内部に近距離無線通信装置を設け、この近距離無線通信装置を利用して、ホストコンピューター７０やフィスカルデータ読出装置７３と無線によってデータのやり取りを行うようにし、これにより、管理基板収納ケース９０にコネクター孔１０２、１０３を設けない構成とするようにしてもよい。これによれば、管理基板５２に対する物理的なアクセスをより防止することができ、より強固に改ざんを防止することができる。
【符号の説明】
【００３９】
１１…フィスカルユニット（基板収納ケース）、５１…プリンター基板、５２…管理基板、６１…ＰＣコネクター（外部機器コネクター）、６２…フィスカルコネクター（外部機器コネクター）、６７…ＥＪメモリー（メモリー）、７０…ホストコンピューター（外部機器）、７１…日計売上データ（フィスカル情報を含むデータ）、７３…フィスカルデータ読出装置（外部機器）、７５…フィスカルメモリー（メモリー）、７６…書込レシートデータ（フィスカル情報を含むデータ）、７７…プリンター制御部、７９…プリンター基板側コネクター、８０…管理基板側コネクター、９０…管理基板収納ケース、９１…プリンター基板収納ケース、９４…管理基板ケース蓋体（蓋体）、９５…管理基板ケース本体（ケース本体）、９７…プリンター基板ケース本体（蓋体）、９８…プリンター基板ケース蓋体（ケース本体）、１０２、１０３、１０４…コネクター孔、１２０、１２１…接続用係止片（係合部材）、１２３、１２５…接続用係止片受け（係合部材）。
【図１】
2011140203.tif 000003
【図２】
2011140203.tif 000004
【図３】
2011140203.tif 000005
【図４】
2011140203.tif 000006
【図５】
2011140203.tif 000007
【図６】
2011140203.tif 000008
【図７】
2011140203.tif 000009
【図８】
2011140203.tif 000010
【図９】
2011140203.tif 000011
【図１０】
2011140203.tif 000012